(57)【要約】      （修正有）【課題】誰でも参加可能なデジタル聖火リレーを実現する。【解決手段】システム１００は、送信側端末１，受信側端末２，及び管理サーバ３を備える。送信側端末１は，所定のコンテンツに割り当てられたコンテンツＩＤ及び第１のユーザＩＤを記憶する記憶部と，コンテンツＩＤ及び第１のユーザＩＤを受信側端末２に発信する近距離通信部を有する。受信側端末２は，第２のユーザＩＤを記憶した記憶部と，送信側端末１からコンテンツＩＤ及び第１のユーザＩＤを受信する近距離通信部と，コンテンツＩＤ及び第１のユーザＩＤと共に第２のユーザＩＤを管理サーバ３に送信する送受信部を有する。管理サーバ３は，受信側端末２からコンテンツＩＤ，第１のユーザＩＤ，及び第２のユーザＩＤを受信する送受信部と，これらのＩＤを互いに関連付けて記憶する管理データベースを有する。【選択図】図１
2015106230.tif 000002
【特許請求の範囲】
【請求項１】
一又は複数の送信側端末（１）と，
一又は複数の受信側端末（２）と，
前記受信側端末（２）に情報通信回線を通じて接続された管理サーバ（３）と，を備えた
コンテンツの伝播状況を管理するシステムであって，
前記送信側端末（１）は，
所定のコンテンツに割り当てられたコンテンツＩＤと，第１のユーザＩＤとを記憶する送信側の記憶部（１１）と，
前記コンテンツＩＤ及び前記第１のユーザＩＤを前記受信側端末（２）に向けて発信する送信側の近距離通信部（１２）と，を有し，
前記受信側端末（２）は，
第２のユーザＩＤを記憶した受信側の記憶部（２１）と，
前記送信側端末（１）から，前記コンテンツＩＤ及び前記第１のユーザＩＤを受信する受信側の近距離通信部（２２）と，
前記受信側の近距離通信部（２２）によって受信した前記コンテンツＩＤ及び前記第１のユーザＩＤと共に，前記第２のユーザＩＤを前記管理サーバ（３）に向けて送信する受信側の送受信部（２４）と，を有し，
前記管理サーバ（３）は，
前記受信側端末（２）から，前記コンテンツＩＤ，前記第１のユーザＩＤ，及び前記第２のユーザＩＤを受信するサーバの送受信部（３１）と，
前記サーバの送受信部（３１）によって受信した前記コンテンツＩＤ，前記第１のユーザＩＤ，及び前記第２のユーザＩＤを，互いに関連付けて記憶する管理データベース（３２）と，を有する
システム。
【請求項２】
前記受信側端末（２）は，
前記受信側の近距離受信部（２２）によって受信した前記コンテンツＩＤを，前記受信側の記憶部（２１）に記憶することで，新たに前記送信側端末（１）として機能する
請求項１に記載のシステム。
【請求項３】
前記送信側端末（１）及び前記受信側端末（２）の両方又はいずれか一方は，さらに，
前記送信側の近距離通信部（１２）と前記受信側の近距離通信部（２２）によって前記コンテンツＩＤ及び前記第１のユーザＩＤの授受を行う通信を行ったことを契機として，前記送信側端末（１）及び前記受信側端末（２）の両方又はいずれか一方の現在位置に関する位置情報を取得する位置情報取得部（１３，２３）を有し，
前記受信側の送受信部（２４）は，
前記受信側の近距離通信部（２２）によって受信した前記コンテンツＩＤ及び前記第１のユーザＩＤと共に，前記第２のユーザＩＤ及び前記位置情報を前記管理サーバ（３）に向けて送信するものであり，
前記サーバの送受信部（３１）は，
前記受信側端末（２）から，前記コンテンツＩＤ，前記第１のユーザＩＤ，前記第２のユーザＩＤ，及び前記位置情報を受信するものであり，
前記管理データベース（３２）は，
前記サーバの送受信部（３１）によって受信した前記コンテンツＩＤ，前記第１のユーザＩＤ，及び前記第２のユーザＩＤと共に，前記位置情報を関連付けて記憶する
請求項１又は請求項２に記載のシステム。
【請求項４】
前記受信側端末（２）は，さらに，
前記受信側の近距離通信部（２２）によって前記コンテンツＩＤ及び前記第１のユーザＩＤを受信したことを契機として，当該コンテンツＩＤが割り当てられた前記所定のコンテンツに関する画像を表示する受信側の表示部（２５）を，有する
請求項１から請求項３のいずれかに記載のシステム。
【請求項５】
前記管理サーバ（３）は，管理制御部（３０）をさらに有し，
前記管理制御部（３０）は，
地図画像上であって，前記管理データベース（３２）に記憶されている前記位置情報により特定される位置に，プロットを配置すると共に，
前記管理データベース（３２）に前記位置情報に関連付けて記憶されている前記コンテンツＩＤに基づいて，同じコンテンツＩＤに関連付けられている位置情報によって特定される位置に配置されたプロット同士を，互いに線で結びつけて表示した地図情報を生成する
請求項３に記載のシステム。
【請求項６】
一又は複数の送信側端末（１）と，
一又は複数の受信側端末（２）と，
前記受信側端末（２）に情報通信回線を通じて接続された管理サーバ（３）と，を備えた
コンテンツの伝播状況を管理するシステムであって，
前記送信側端末（１）は，
所定のコンテンツに割り当てられたコンテンツＩＤと，第１のユーザＩＤとを記憶する送信側の記憶部（１１）と，
前記コンテンツＩＤを前記受信側端末（２）に向けて発信する送信側の近距離通信部（１２）と，を有し，
前記受信側端末（２）は，
第２のユーザＩＤを記憶した受信側の記憶部（２１）と，
前記送信側端末（１）から，前記コンテンツＩＤを受信すると共に，前記第２のユーザＩＤを前記送信側端末（１）に向けて発信する受信側の近距離通信部（２２）と，を有し，
前記送信側端末（１）は，
前記送信側の近距離通信部（１２）によって前記第２のユーザＩＤを受信し，
前記送信側の近距離通信部（１２）によって受信した前記第２のユーザＩＤと共に，前記第１のユーザＩＤ及び前記コンテンツＩＤを前記管理サーバ（３）に向けて送信する送信側の送受信部（１４）を，さらに有し，
前記管理サーバ（３）は，
前記送信側端末（１）から，前記コンテンツＩＤ，前記第１のユーザＩＤ，及び前記第２のユーザＩＤを受信するサーバの送受信部（３１）と，
前記サーバの送受信部（３１）によって受信した前記コンテンツＩＤ，前記第１のユーザＩＤ，及び前記第２のユーザＩＤを，互いに関連付けて記憶する管理データベース（３２）と，を有する
システム。
【請求項７】
携帯型情報通信端末を，請求項１又は請求項６に記載のシステムに含まれる前記送信側端末（１）又は前記受信側端末（２）として機能させるためのプログラム。
【発明の詳細な説明】
【技術分野】
【０００１】
本発明は，デジタル聖火リレーを実現するためのシステムに関する。具体的に説明すると，本発明は，スマートフォン等の携帯型情報端末を利用して，ユーザ同士が，聖火のデジタル画像などのコンテンツを，リレー方式で伝搬させることのできるシステムに関するものである。
【背景技術】
【０００２】
従来から，オリンピック大会では，聖火リレーと呼ばれるイベントが行われている。聖火リレーは，オリンピック大会の開会式典を飾る儀式の一つである。聖火リレーは，特定のスタート地点から開会式会場に設置された聖火台まで聖火を運搬する儀式であり，ある参加者が聖火の灯されたトーチを持ちながら一定距離を走行し，次の参加者が持つトーチに聖火を移していく。このように，聖火リレーでは，複数の参加者によってリレー方式で聖火が運ばれるようになっている。
【発明の概要】
【発明が解決しようとする課題】
【０００３】
ところで，２０２０年に開催されるオリンピック大会の開催地は，東京に決定した。２０２０年の東京オリンピックは，今までのオリンピック大会とは異なる新しい取り込みが行われることが期待されており，世界に対して大きなサプライズを提供することが望まれている。また，東京オリンピックは，狭い範囲に競技場が集まっており，地理的な意味で非常にコンパクトな大会を開催することができるとされている。また，オリンピック大会の開催地である東京は，世界でも有数の人口密集地域であり，オリンピック大会が取り行われる範囲内には，現在も多くの人が居住している。また，東京は今後もオリンピック開会決定を契機としてさらに人口が増えるものと予想されている。
【０００４】
このような現状において，本発明の発明者は，２０２０年の東京オリンピックは，東京に集まってきた者がただ単に開会式や競技を鑑賞・観戦するだけでなく，誰でも簡単に参加することのできるオリンピックを目指すべきであると考えている。これに対し，公式で行われる聖火リレーは，その参加者が原則としてオリンピック委員会によって推薦されたスポーツ選手や有名人に限定されている。また，公式の聖火リレーは，参加者の一般公募を一部行ってはいるものの，一般から参加できる人数は極めて少なくなっている。このため，公式の聖火リレーは，現状，誰でも気軽に参加できるものとはなっていない。また，公式の聖火リレーは，開催地の国内でのみ取り行われるイベントであり，世界中の人達が参加できるようなものではない。
【０００５】
このため，本発明は，基本的に，オリンピックの開催地に限定されない世界中の人達が気軽に参加することのできる聖火リレーを模したイベントを実現可能なシステムを提供することを目的としている。
【課題を解決するための手段】
【０００６】
そこで，本発明の発明者は，上記目的を実現する手段について鋭意検討した結果，スマートフォンなどの携帯型情報通信端末を利用して，ユーザ同士が，聖火のデジタル画像などのコンテンツをリレー方式で伝搬させることができるようにし，サーバ装置においてそのコンテンツの伝播状況を管理するという知見を得た。そして，本発明者は，上記知見に基づけば，上記目的を実現することができることに想到し，本発明を完成させた。
具体的に説明すると，本発明は以下の構成を有する。
【０００７】
本発明は，コンテンツの伝播状況を管理するシステムである。本発明のシステムは，例えば，デジタル聖火リレーシステムとして運用することができる。ただし，本発明のシステムは，デジタル聖火リレーシステムに限定されない。
本発明のシステムは，一又は複数の送信側端末１と，一又は複数の受信側端末２と，受信側端末２に情報通信回線を通じて接続された管理サーバ３と，を備えている。
送信側端末１は，
所定のコンテンツに割り当てられたコンテンツＩＤと，第１のユーザＩＤとを記憶する送信側の記憶部１１と，
コンテンツＩＤ及び第１のユーザＩＤを受信側端末２に向けて発信する送信側の近距離通信部１２と，を有する。
受信側端末２は，
第２のユーザＩＤを記憶した受信側の記憶部２１と，
送信側端末１から，コンテンツＩＤ及び第１のユーザＩＤを受信する受信側の近距離通信部２２と，
受信側の近距離通信部２２によって受信したコンテンツＩＤ及び第１のユーザＩＤと共に，第２のユーザＩＤを管理サーバ３に向けて送信する受信側の送受信部２４と，を有する。
管理サーバ３は，
受信側端末２から，コンテンツＩＤ，第１のユーザＩＤ，及び第２のユーザＩＤを受信するサーバの送受信部３１と，
サーバの送受信部３１によって受信したコンテンツＩＤ，第１のユーザＩＤ，及び第２のユーザＩＤを，互いに関連付けて記憶する管理データベース３２と，を有する。
【０００８】
上記構成のように，本発明のシステムでは，管理サーバ３の管理データベース３２に，送信側端末１のユーザを特定する第１のユーザＩＤと，受信側端末２のユーザを特定する第２のユーザＩＤと，送信側端末１から受信側端末２へと送信されたコンテンツＩＤとを関連付けて記憶する。これにより，管理データベース３２の記録状況を参照すれば，どのユーザとどのユーザがコンテンツＩＤの授受を行ったかを把握することができる。例えば，送信側端末１と受信側端末２との間でコンテンツＩＤの通信が行われたことを契機として，送信側端末１に表示されている聖火の画像が，受信側端末２に表示されているトーチの画像に移るような演出を行うことで，本発明はデジタル聖火リレーを実現することができる。すなわち，送信側端末１から受信側端末２へと送信されたコンテンツＩＤに紐付けて，送信側端末１の第１のユーザＩＤと受信側端末２の第２のユーザＩＤを記憶しておくことで，どのユーザからどのユーザに対して聖火が伝搬されたかを一元的に管理することが可能となる。
【０００９】
本発明のシステムにおいて，受信側端末２は，受信側の近距離受信部２２によって受信したコンテンツＩＤを，受信側の記憶部２１に記憶することが好ましい。これにより，受信側端末２は，送信側端末１として機能する。
すなわち，受信側端末２が送信側端末１として機能する場合に，
「受信側の記憶部２１」は，「送信側の記憶部１１」と読み替えられ，
受信側の記憶部２１に記憶されている「第２のユーザＩＤ」は，送信側の記憶部１１に記憶されている「第１のユーザＩＤ」と読み替えられ，
「受信側の近距離通信部２２」は，「送信側の近距離通信部１２」と読み替えられる。
【００１０】
上記のように，送信側端末１からコンテンツＩＤを受信した受信側端末２を，今度は送信側端末１として機能させ，この新しい送信側端末１が，さらに別の受信側端末２へとコンテンツＩＤを伝搬させるようにすることで，特定のコンテンツＩＤが，端末から端末へとリレー方式で伝搬するようになる。また，この特定のコンテンツＩＤの通信を行った複数の送信側端末１と複数の受信側端末２は，すべて管理データベース３２でユーザＩＤによって記録されている。従って，特定のコンテンツＩＤに紐付けられたユーザＩＤ（送信側・受信側）を参照することで，その特定のコンテンツＩＤが伝搬した端末の経路を把握することが可能となる。これにより，本発明は，聖火リレーを模したイベントをスマートフォンなどの携帯型情報通信端末を利用して実現することができる。
【００１１】
本発明のシステムにおいて，送信側端末１及び受信側端末２の両方又はいずれか一方は，送信側の近距離通信部１２と受信側の近距離通信部２２によってコンテンツＩＤ及び第１のユーザＩＤの授受を行う通信を行ったことを契機として，送信側端末１及び受信側端末２の両方又はいずれか一方の現在位置に関する位置情報を取得する位置情報取得部１３，２３を，さらに有することが好ましい。
この場合に，受信側の送受信部２４は，受信側の近距離通信部２２によって受信したコンテンツＩＤ及び第１のユーザＩＤと共に，第２のユーザＩＤ及び位置情報を管理サーバ３に向けて送信する。
また，サーバの送受信部３１は，受信側端末２から，コンテンツＩＤ，第１のユーザＩＤ，第２のユーザＩＤ，及び位置情報を受信する。
また，管理データベース３２は，サーバの送受信部３１によって受信したコンテンツＩＤ，第１のユーザＩＤ，及び第２のユーザＩＤと共に，位置情報を関連付けて記憶する。
【００１２】
上記の構成のように，送信側端末１と受信側端末２とで近距離通信を行った場所の位置情報を管理データベース３２に記録しておくことで，コンテンツＩＤ（聖火）が伝搬していく地理的な経路を把握することができる。このため，ある特定のコンテンツＩＤ（聖火）に関し，端末間で近距離無線通信が行われた複数の場所を辿って行くことで，例えば実際の聖火リレーのように，聖火ランナー（コンテンツＩＤを受信した送信側端末１）が移動した経路を把握することができる。また，ユーザは，自分が他人に送信したコンテンツＩＤ（聖火）に基づいて，管理データベース３２を参照すれば，自分に関連するコンテンツＩＤ（聖火）が何処まで伝搬したのかを把握することが可能になる。従って，上記構成を備えることで，より実際の聖火リレーに近いイベントを実現することができ，また聖火ランナーとして参加したユーザに対して，その後の経過を辿る楽しみを提供できる。
【００１３】
本発明のシステムにおいて，受信側端末２は，受信側の近距離通信部２２によってコンテンツＩＤ及び第１のユーザＩＤを受信したことを契機として，当該コンテンツＩＤが割り当てられた所定のコンテンツに関する画像を表示する受信側の表示部２５を，さらに有することが好ましい。
【００１４】
上記構成のように，送信側端末１と受信側端末２とでコンテンツＩＤの近距離無線通信が行われた際に，受信側端末２の表示画面に，例えば聖火の画像を表示することで，実際の聖火リレーのように聖火が移っていくような演出を行うことができる。
この意味において，コンテンツＩＤは，所定のコンテンツ（聖火の画像）を表示画面上に出力させるための制御情報として機能する。このように，本発明では，所定のコンテンツを表示させるための制御情報に対して，それぞれＩＤを割り当てることとしている。そして，本発明では，この制御情報に対して割り当てたＩＤを，コンテンツＩＤと表現している。なお，本発明において，同じ制御情報に対して複数種類のコンテンツＩＤを割り当てることとしてもよいし，同じ制御情報に対しては一種類のコンテンツＩＤを割り当てることとしてもよい。
【００１５】
本発明のシステムにおいて，管理サーバ３は，管理制御部３０をさらに有することが好ましい。管理制御部３０は，地図画像上であって，管理データベース３２に記憶されている位置情報により特定される位置に，プロットを配置すると共に，管理データベース３２に位置情報に関連付けて記憶されているコンテンツＩＤに基づいて，同じコンテンツＩＤに関連付けられている位置情報によって特定される位置に配置されたプロット同士を，互いに線で結びつけて表示した地図情報を生成することとしてもよい。
【００１６】
上記構成のように，管理制御部３０が，送信側端末１と受信側端末２との間で近距離通信が行われた位置を線で結んで地図上に表示することで，あたかも聖火リレーのコースを表示したかのような地図情報を生成できる。
【００１７】
本発明の第１の側面に係るシステムの変形例について説明する。
この変形例では，送信側端末１が，管理サーバ３に向けて，コンテンツＩＤ，第１のユーザＩＤ，及び第２のユーザＩＤを送信するものである。
すなわち，変形例に係るシステムは，一又は複数の送信側端末１と，一又は複数の受信側端末２と，受信側端末２に情報通信回線を通じて接続された管理サーバ３と，を備える。
送信側端末１は，
所定のコンテンツに割り当てられたコンテンツＩＤと，第１のユーザＩＤとを記憶する送信側の記憶部１１と，
少なくともコンテンツＩＤを受信側端末２に向けて発信する送信側の近距離通信部１２と，を有する。
受信側端末２は，
第２のユーザＩＤを記憶した受信側の記憶部２１と，
送信側端末１から，コンテンツＩＤを受信すると共に，第２のユーザＩＤを送信側端末１に向けて発信する受信側の近距離通信部２２と，を有する。
送信側端末１は，
送信側の近距離通信部１２によって第２のユーザＩＤを受信し，
送信側の近距離通信部１２によって受信した第２のユーザＩＤと共に，第１のユーザＩＤ及びコンテンツＩＤを管理サーバ３に向けて送信する送信側の送受信部１４を，さらに有する。
管理サーバ３は，
送信側端末１から，コンテンツＩＤ，第１のユーザＩＤ，及び第２のユーザＩＤを受信するサーバの送受信部３１と，
サーバの送受信部３１によって受信したコンテンツＩＤ，第１のユーザＩＤ，及び第２のユーザＩＤを，互いに関連付けて記憶する管理データベース３２と，を有する。
【００１８】
本発明の第２の側面は，携帯型情報通信端末を，第１の側面に係るシステムに含まれる送信側端末１又は受信側端末２として機能させるためのプログラムに関する。このプログラムは，携帯型情報通信端末に記憶され，この端末によって読取・実行される。このプログラムは，情報記録媒体に記録することもできるし，情報通信回線を通じて携帯型情報通信端末にダウンロードすることもできる。
【発明の効果】
【００１９】
本発明のシステムは，オリンピックの開催地に限定されない世界中の人達が気軽に参加することのできる聖火リレーを模したイベントを実現することができる。
【図面の簡単な説明】
【００２０】
【図１】図１は，本発明に係るシステムの概要を示した全体図である
【図２】図２は，本発明に係るシステムの機能構成の例を示したブロック図である。
【図３】図３は，コンテンツＩＤが伝搬する状況の例を示した概念図である。
【図４】図４は，管理データベースのデータ構造の一例を示した模式図である。
【図５】図５は，地図情報の例を示した概念図である。
【発明を実施するための形態】
【００２１】
以下，図面を用いて本発明を実施するための形態について説明する。本発明は，以下に説明する形態に限定されるものではなく，以下の形態から当業者が自明な範囲で適宜修正したものも含む。
【００２２】
まず，本発明の好ましい実施形態について説明する。
図１は，本発明に係るシステム１００の概要を示した全体図である。図１に示されるように，本発明のシステム１００は，送信側端末１と，受信側端末２と，管理サーバ３を備えている。本発明のシステム１００は，基本的に，複数の送信側端末１と複数の受信側端末２を備えることができる。送信側端末１と受信側端末２は，例えば，スマートフォン，携帯電話，タブレット型コンピュータ，及びラップトップ型コンピュータのような携帯型情報通信端末によって構成されている。また，管理サーバ３は，一台のサーバ装置によって構成することもできるし，複数台のサーバ装置に機能を分担して構築することも可能である。
【００２３】
図１に示されるように，送信側端末１と受信側端末２はそれぞれ，インターネットなどの情報通信回線を通じて，管理サーバ３に接続されている。送信側端末と受信側端末２は，インターネットを通じて，管理サーバ３と情報の授受を行うことができる。また，図１に示されるように，送信側端末１と受信側端末２は，互いに近距離通信を行うことが可能である。送信側端末１は，近距離通信を利用して，受信側端末２に対して所定の情報（データ）を発信することができる。
【００２４】
図２を参照して，本発明のシステム１００に含まれる送信側端末１，受信側端末２，及び管理サーバ３の具体的な構成について説明する。図２は，本発明のシステム１００を構成する機能要素を示したブロック図である。
【００２５】
図２に示されるように，送信側端末１は，送信側の制御部１０と，送信側の記憶部１１と，送信側の近距離通信部１２と，送信側の位置情報取得部１３と，送信側の送受信部１４と，送信側の表示部１５とを備える。送信側の制御部１０は，プログラムに従って，これらの各要素１１〜１５の総合的な制御を行うことのできるＣＰＵである。
【００２６】
送信側の記憶部１１は，送信側端末１を所有するユーザを特定するための送信側のユーザＩＤ（「第１のユーザＩＤ」に相当）を記憶している。ユーザＩＤとは，本発明のシステムを利用するユーザを特定するための情報であり，ユーザの一人ひとりに異なったＩＤが割り当てられている。
【００２７】
また，送信側の記憶部１１は，所定のコンテンツを記憶している。例えば，所定のコンテンツには，プログラムや，静止画・動画などの画像情報が含まれる。例えば，デジタル聖火リレーシステムを実現する場合において，このコンテンツは，受信側端末２の表示部２５に聖火が灯る演出を行うための画像（静止画又は動画）であることが好ましい。なお，本願明細書において，聖火が灯る演出を行うための画像を「点灯画像」とも称することもある。
【００２８】
さらに，送信側の記憶部１１は，コンテンツに割り当てられたコンテンツＩＤを記憶している。本システムにおいて，コンテンツＩＤは，記憶部に記憶されているコンテンツを読み出して表示部などに出力させるための制御情報としても利用される。例えば，後述するように，コンテンツＩＤを受信した端末（受信側端末２）は，コンテンツＩＤを受信したことを契機として，記憶部に記憶されている点灯画像などのコンテンツを読み出し表示部などに出力させるように機能する。また，本発明のシステムでは，同じコンテンツに対し，複数種類のコンテンツＩＤを割り当てることもできる。例えば，コンテンツが聖火の灯る演出を行うための点灯画像である場合に，この点灯画像に対しては，複数種類の異なったコンテンツＩＤを割り当てることができる。
【００２９】
具体的に説明すると，本発明のシステムは，複数の聖火が存在する場合であっても，各聖火の伝播状況を個別に辿るようにすることができることを目的の一つとしている。例えば，本発明のシステムは，スタート地点に第１の聖火，第２の聖火，第３の聖火が存在するような場合に，それぞれの聖火の広がりを独立して辿ることが好ましい。このため，第１の聖火，第２の聖火，第３の聖火を灯す演出を行うための点灯画像及びその制御情報が，実質的に同内容のデータであったとしても，第１の聖火，第２の聖火，第３の聖火の点灯画像を表示させるための制御情報のそれぞれに，個別の異なったコンテンツＩＤが割り当てられる。
【００３０】
上記のように，送信側の記憶部１１には，送信側のユーザＩＤと，所定のコンテンツと，このコンテンツに割り当てられたコンテンツＩＤとが記憶されている。
【００３１】
送信側の近距離通信部１２は，受信側端末２との間で近距離通信を行うための要素である。送信側の近距離通信部１２は，制御部１０による制御の下，送信側の記憶部１１に記憶されているユーザＩＤとコンテンツＩＤを，受信側端末２に向けて発信する。送信側の近距離通信部１２は，例えばＢｌｕｅｔｏｏｔｈ（登録商標）などの公知の規格に準じた無線通信を行うことができる。例えば，送信側の近距離通信部１２がユーザＩＤとコンテンツＩＤを送信可能な距離は，半径１〜２０ｍ以内，又は半径５〜１０ｍ以内とすることが好ましい。送信側の近距離通信部１２は，常時ユーザＩＤとコンテンツＩＤを送信し続けることとしてもよいし，一定時間間隔（例：０．１〜５秒毎）で送信することもできる。また，送信側の近距離通信部１２は，例えば，音声や音波によって，ユーザＩＤとコンテンツＩＤを受信側端末２に発信するものであってもよい。また，送信側の近距離通信部１２は，例えば，映像や光によって，ユーザＩＤとコンテンツＩＤを受信側端末２に発信するものであってもよい。また，送信側の近距離通信部１２は，例えば，ＱＲコード（登録商標）やバーコードを表示し，このコードを受信側端末２に読み取らせることによって，送信側端末１と受信側端末２との間で通信を行うこととしてもよい。このように，本発明において，「近距離通信」との用語は，送信側端末と受信側端末の間でＩＤ情報を近距離でやり取りする意味で最大限広く解釈される。また，「近距離」とは，端末のユーザ同士が互いに認識し合える範囲（例：半径１〜２０ｍ以内）を意味する。
【００３２】
送信側の位置情報取得部１３は，ＧＰＳ測位によって送信側端末１の現在位置に関する位置情報を取得する機能を持つ。例えば，位置情報取得部１３は，複数のＧＰＳ衛星から送られた電波に含まれる電波送信時間の情報に基づき，それぞれの電波を受信するのに要した時間を測定し，その時間を示す時間情報を制御部１０に送出する。制御部１０は，取得した時間情報に基づいて，位置情報取得部１３の現在位置の緯度経度に関する情報を算出することができる。
【００３３】
送信側の送受信部１４は，管理サーバ３とインターネットを介した情報の授受を行うための機能を持つ。送受信部１４は，例えば，公知のＣＤＭＡ方式や無線ＬＡＮ方式による無線通信でネットワーク事業者のネットワークサービス装置と無線通信を行うものであってもよい。送信側端末１は，送信側の送受信部１４を通じて管理サーバ３にアクセスし，管理サーバ３が備える管理データベース３２に記録されている情報の照会を要求することができる。
【００３４】
送信側の表示部１５は，ディスプレイ装置である。ディスプレイ装置は，例えばＬＣＤ（Liquid Crystal Display；液晶ディスプレイ）やＯＥＬＤ（Organic
Electro Luminescence Display；有機ＥＬディスプレイ）のような表示装置である。送信側の表示部１５は，制御部１０からの制御信号に応じて，ユーザが送信側端末１を使用するにあたって必要となる各種情報を出力表示する。表示部１５は，操作部が一体となったタッチパネルディスプレイであってもよい。
【００３５】
図２に示されるように，受信側端末２は，受信側の制御部２０と，受信側の記憶部２１と，受信側の近距離通信部２２と，受信側の位置情報取得部２３と，受信側の送受信部２４と，受信側の表示部２５とを備える。受信側の制御部２０は，プログラムに従って，これらの各要素２１〜２５の総合的な制御を行うことのできるＣＰＵである。
受信側端末２は，基本的に，送信側端末１と同じ構成を有する携帯型情報通信端末によって実現することが可能である。
【００３６】
受信側の記憶部２１は，送信側の記憶部１１と同様に，受信側端末２を所有するユーザを特定するための受信側のユーザＩＤ（「第２のユーザＩＤ」に相当）を記憶している。また，受信側の記憶部２１は，送信側の記憶部１１と同様に，所定のコンテンツを記憶していることが好ましい。例えば，所定のコンテンツには，プログラムや，静止画・動画などの画像情報が含まれる。例えば，デジタル聖火リレーシステムを実現する場合において，このコンテンツは，受信側端末２の表示部２５に聖火が灯る演出を行うための点灯画像であることが好ましい。他方，受信側の記憶部２１は，送信側の記憶部１１とは異なり，初期状態において，コンテンツＩＤを記憶している必要はない。ただし，初期状態において，受信側の記憶部２１にもコンテンツＩＤが記憶されていてもよい。
【００３７】
受信側の近距離通信部２２は，送信側端末１の近距離通信部１２との間で，近距離通信を行うための要素である。このため，受信側の近距離通信部２２は，送信側端末１の近距離通信部１２に対応した構成を持つ。例えば，送信側端末１の近距離通信部１２が，例えばＢｌｕｅｔｏｏｔｈ（登録商標）によって無線通信を行うものである場合，受信側の近距離通信部２２も同様に，Ｂｌｕｅｔｏｏｔｈ（登録商標）によって無線通信を行うものとすればよい。
【００３８】
受信側の位置情報取得部２３は，送信側の位置情報取得部１３と同様に，ＧＰＳ測位によって送信側端末１の現在位置に関する位置情報を取得する機能を持つ。
【００３９】
受信側の送受信部２４は，送信側の送受信部１４と同様に，管理サーバ３とインターネットを介した情報の授受を行うための機能を持つ。送受信部１４は，例えば，公知のＣＤＭＡ方式や無線ＬＡＮ方式による無線通信でネットワーク事業者のネットワークサービス装置と無線通信を行うものであってもよい。送信側端末１は，送信側の送受信部１４を通じて管理サーバ３にアクセスし，管理サーバ３が備える管理データベース３２に記録されている情報の照会を要求することができる。
【００４０】
受信側の表示部２５は，送信側の表示部１５と同様に，ディスプレイ装置である。受信側の表示部２５は，操作部が一体となったタッチパネルディスプレイであってもよい。
【００４１】
ここで，送信側端末１と受信側端末２との間で行われる情報の処理について説明する。
まず，例えば図１に示されるように，送信側端末１と受信側端末２との距離を，近距離通信が可能な程度に近づける。このとき，送信側端末１の表示部１５には，聖火の灯ったトーチの画像が表示されていてもよい。ここで，送信側端末１は，図２に示されるように，送信側の近距離通信部１２を介して，送信側の記憶部１１に記憶されているコンテンツＩＤと送信側のユーザＩＤとを，受信側端末２に向けて発信する。受信側端末２は，受信側の近距離通信部２２を介して，送信側端末１から発信されたコンテンツＩＤと送信側のユーザＩＤとを受信する。受信側の近距離通信部２２は，送信側端末１から受信したコンテンツＩＤと送信側のユーザＩＤとを，受信側の制御部２０へと送出する。受信側の制御部２０は，受信側の近距離通信部２２を介してコンテンツＩＤを受信すると，受信側の記憶部２１からコンテンツを読み出して，表示部２５に表示させる。例えば，コンテンツは，聖火の灯る演出を表示するための点灯画像である。このため，送信側端末１と受信側端末２の距離を近づけることにより，送信側端末１に表示されている聖火が，受信側端末２に移るような演出を行うことが可能となる。
【００４２】
続いて，受信側端末２は，送信側端末１との間で近距離通信を行ったことを契機として，受信側の位置情報取得部２３を起動させて，自己の現在の位置情報を取得する。このとき取得する現在の位置情報は，送信側端末１と受信側端末２とが近距離通信を行った場所の位置情報に相当する。換言すると，このときの位置情報は，送信側端末１のユーザから，受信側端末２のユーザへと，聖火が移された場所の位置情報に相当している。受信側の位置情報取得部２３は，取得した位置情報を受信側の制御部２０へと送出する。
【００４３】
続いて，受信側端末２は，図２に示されるように，制御部２０による制御の下，受信側の送受信部２４を介して，送信側端末１から受信したコンテンツＩＤ及び送信側のユーザＩＤと共に，受信側の記憶部２１に記憶されている受信側のユーザＩＤ及び受信側の位置情報取得部２３によって取得した位置情報を，管理サーバ３へと送信する。また，受信側端末２は，これらの情報と同時に，送信側端末１との間で近距離通信を行った日時の情報を，管理サーバ３へと送信することとしてもよい。管理サーバ３は，近距離通信が行われたコンテンツＩＤと，送信側のユーザＩＤと，受信側のユーザＩＤと，位置情報と，日時情報を受信することができる。これにより，例えば，管理サーバ３は，近距離通信が行われたコンテンツＩＤに基づいて，ユーザ同士の間でやり取りのあった聖火を特定することができる。また，管理サーバ３は，近距離通信が行われた送信側のユーザＩＤと受信側のユーザＩＤとに基づいて，聖火を渡したユーザと，聖火を受け取ったユーザを特定することができる。また，管理サーバ３は，近距離通信が行われた位置情報に基づいて，聖火の受け渡した行われた場所を特定することができる。さらに，管理サーバ３は，近距離通信が行われた日時情報に基づいて，聖火の受け渡した行われた日時を特定することができる。
【００４４】
なお，受信側端末２が位置情報を取得することに代えて，送信側端末１が，送信側の位置情報取得部１３を起動させて，自己の現在の位置情報を取得することとしてもよい。このように，送信側端末１が位置情報を取得することによっても，送信側端末１と受信側端末２との間で近距離無線通信が行われた位置を特定できる。この場合に，送信側端末１は，位置情報を直接管理サーバ３に送信することとしてもよい。また，送信側端末１は，送信側の近距離通信部１２を介して位置情報を受信側端末２に送信し，受信側端末２が，位置情報を管理サーバ３に送信することとしてもよい。
【００４５】
また，受信側端末２は，送信側端末１から受信したコンテンツＩＤと，受信側の記憶部２１に記憶する。このように，受信側端末２は，コンテンツＩＤを記憶部２１に記憶することで，送信側端末１として機能することができるようになる。すなわち，送信側端末１からコンテンツＩＤを受信した受信側端末２は，新たな送信側端末１となる。この新たな送信側端末１は，記憶部に記憶したコンテンツＩＤを別の受信側端末２へと送信することができる。このようにして，特定のコンテンツＩＤを，リレー方式で，複数の端末間で次々と伝搬させることができる。
【００４６】
図２に示されるように，管理サーバ３は，管理制御部３０と，サーバの送受信部３１と，管理データベース３２とを備える。管理制御部３０は，サーバの送受信部３１と管理データベース３２の総合的な制御を行うことのできるＣＰＵである。
【００４７】
サーバの送受信部３１は，受信側端末２から送信されたコンテンツＩＤと，送信側のユーザＩＤと，受信側のユーザＩＤと，位置情報と，日時情報を受信する。サーバの送受信部３１は，送信側端末２から受信した各種の情報を，管理制御部３０へと送出する。管理制御部３０は，サーバの送受信部３１を介して受信した各種情報を，管理データベース３２に登録する。
【００４８】
管理データベース３２は，コンテンツＩＤが伝搬する状況を総合的に管理するためのデータベースである。ここでは，図３及び図４を参照して，管理データベース３２のデータ構造について説明する。
【００４９】
まず，管理データベース３２のデータ構造の理解を容易にするために，本発明のシステムにおいてコンテンツＩＤが伝搬する状況について説明する。図３は，コンテンツＩＤが，複数の端末間（送信側端末・受信側端末）を伝搬する様子を概念的に示している。具体的に，図３では，コンテンツＩＤが伝搬することによって，聖火がリレー方式に伝搬する様子を示している。
【００５０】
図３に示されるように，本発明のシステムでは，聖火が灯る演出に関する「点灯画像」というコンテンツに対し，複数種類のコンテンツＩＤが割り当てられている。図３に示された例では，第１のコンテンツＩＤ（Ｃ００１）と，第２のコンテンツＩＤ（Ｃ００２）が存在する。第１のコンテンツＩＤ（Ｃ００１）と第２のコンテンツＩＤ（Ｃ００２）は，それぞれ，第１の聖火と第２の聖火に割り当てられたものである。図３に示された例では，本発明のシステムは，第１の聖火と第２の聖火を伝搬させるイベントを運営するように設計されている。つまり，図３の例において，スタート地点には，第１の聖火と第２の聖火のみが存在する。
【００５１】
図３に示された例において，第１のコンテンツＩＤ（Ｃ００１）の最初の発信者は，Ａ００１というユーザＩＤで特定されるユーザとなる。このため，ユーザＡ００１の端末（送信側端末）には，初期状態において第１のコンテンツＩＤ（Ｃ００１）が記憶されている。他方，第２のコンテンツＩＤ（Ｃ００２）の最初の発信者は，Ａ００２というユーザＩＤで特定されるユーザとなる。このため，ユーザＡ００２の端末（送信側端末）には，初期状態において第２のコンテンツＩＤ（Ｃ００２）が記憶されている。
【００５２】
図３に示されるように，第１のコンテンツＩＤ（Ｃ００１）の伝播経路を見ると，まず，ユーザＡ００１は，場所Ｐ１において，ユーザＡ７９１に対し，第１のコンテンツＩＤ（Ｃ００１）を送信している。このとき，ユーザＡ００１が所持する端末が送信側端末１となり，ユーザＡ７９１が所持する端末が受信側端末２となる。これにより，ユーザＡ００１からユーザＡ００１に対して，第１の聖火が移されたことになる。また，ユーザＡ７９１が所持する端末は，第１のコンテンツＩＤ（Ｃ００１）を受信することで，新たな送信側端末となる。続いて，ユーザＡ７９１は，場所Ｐ３において，ユーザＡ０６５に対し，コンテンツＩＤ（Ｃ００１）を送信している。この場合には，ユーザＡ７９１が所持する端末が発信側端末１となり，ユーザＡ０６５が所持する端末が受信側端末２となる。これにより，ユーザＡ７９１からユーザＡ０６５に対して，第１の聖火が移されたことになる。また，ユーザＡ０６５が所持する端末は，第１のコンテンツＩＤ（Ｃ００１）を受信することで，新たな送信側端末となる。これにより，ユーザＡ０６５は，さらに別のユーザに対し，第１のコンテンツＩＤ（Ｃ００１）を発信できる。このようにして，第１のコンテンツＩＤ（Ｃ００１）が割り当てられた第１の聖火というコンテンツが，ユーザ間を伝搬する。
【００５３】
第２のコンテンツＩＤ（Ｃ００２）についても，上述した第１のコンテンツＩＤ（Ｃ００１）と同様である。例えば，図３に示されるように，第２のコンテンツＩＤ（Ｃ００２）の伝播経路を見ると，まず，ユーザＡ００２は，場所Ｐ１１において，ユーザＡ９１５に対し，第２のコンテンツＩＤ（Ｃ００２）を送信している。このとき，ユーザＡ００２が所持する端末が送信側端末１となり，ユーザＡ９１５が所持する端末が受信側端末２となる。これにより，ユーザＡ００２からユーザＡ９１５に対して，第２の聖火が移されたことになる。また，ユーザＡ９１５が所持する端末は，第２のコンテンツＩＤ（Ｃ００２）を受信することで，新たな送信側端末となる。続いて，ユーザＡ９１５は，場所Ｐ１２において，ユーザＡ６５４に対し，第２のコンテンツＩＤ（Ｃ００２）を送信している。この場合には，ユーザＡ９１５が所持する端末が発信側端末１となり，ユーザＡ６５４が所持する端末が受信側端末２となる。これにより，ユーザＡ９１５からユーザＡ６５４に対して，第２の聖火が移されたことになる。また，ユーザＡ６５４が所持する端末は，第２のコンテンツＩＤ（Ｃ００２）を受信することで，新たな送信側端末となる。これにより，ユーザＡ６５４は，さらに別のユーザに対し，第２のコンテンツＩＤ（Ｃ００２）を発信できる。このようにして，第２のコンテンツＩＤ（Ｃ００２）が割り当てられた第２の聖火というコンテンツが，ユーザ間を伝搬する。
【００５４】
上記したようなコンテンツＩＤの伝播状況は，逐一，管理データベース３２に登録される。ここで，図４は，管理データベース３２のデータ構造の一例を示している。なお，図４は，管理データベースに，図３におけるコンテンツＩＤの伝播状況が記録された場合の一例を示している。
【００５５】
図５に示されるように，管理データベース３２には，コンテンツＩＤに関連付けて，そのコンテンツＩＤの授受が行われた近距離通信の日時，近距離通信の場所，及び近距離通信を行った送信側のユーザＩＤと受信側のユーザＩＤが記憶されている。つまり，コンテンツＩＤをキーデータとして，管理データベース３２を参照すれば，そのコンテンツＩＤの授受が行われた場所，日時，ユーザを把握することが可能である。また，管理データベース３２に記録されている送信側のユーザＩＤと受信側のユーザＩＤを参照すれば，どのユーザからどのユーザに対してコンテンツＩＤが送信されたかを把握することができる。例えば，図５に示された管理データベース３２を参照すると，ユーザＡ００１が，ユーザＡ７９１及びユーザＡ８４６に対し，第１のコンテンツＩＤ（Ｃ００１）を送信していることが判る。また，ユーザＡ００１から第１のコンテンツＩＤ（Ｃ００１）を受信したユーザＡ７９１は，さらにユーザＡ０６５及びユーザＡ５５２に対し，第１のコンテンツＩＤ（Ｃ００１）を送信していることが判る。
【００５６】
上記のように管理データベース３２を構築することで，例えばデジタル聖火リレーシステムにおいて，聖火の伝播状況を把握することができる。すなわち，管理データベース３２に記録されているデータを参照すれば，どの聖火が，何時，何処で，誰から，誰に対して移されたかを把握できる。さらに，管理データベース３２に記録されているユーザＩＤを辿ることで，聖火が誰から誰に伝搬していくかを把握できる。さらに，管理データベース３２に記録されている位置情報を時系列的に辿ることで，聖火が何処から何処へと運ばれていくかを把握することができる。
【００５７】
図５は，管理データベース３２に記録されている情報を利用して生成した地図情報の例を示している。図５に示されるように，管理サーバ３の管理制御部３０は，管理データベース３２に記憶されているデータを可視化した地図情報を生成することが好ましい。例えば，図５の例では，第１のコンテンツＩＤ（Ｃ００１）の割り当てられた第１の聖火が伝搬する状況を，地図画像の上に表示して可視化している。
【００５８】
具体的に説明すると，管理制御部３０は，地図情報を生成するにあたり，まず公知の地図画像を用意する。地図画像は，予め管理サーバ３の記憶部に記憶されていてもよいし，適宜インターネットからダウンロードしたものであってもよいし，地図情報を提供するウェブサイトから提供を受けたものであってもよい。
【００５９】
続いて，管理制御部３０は，地図画像の上であって，管理データベース３２に記憶されている位置情報により特定される位置に，プロットを配置する。管理制御部３０は，地図画像の上に，１つのコンテンツＩＤに関連付けられているプロットのみを配置することとしてもよいし，複数のコンテンツＩＤに関連付けられているプロットを同時に配置することとしてもよい。図５に示された例では，第１のコンテンツＩＤ（Ｃ００１）に関連付けられたプロットのみを，地図画像上に配置している。この地図画像上に配置されたプロットは，ユーザ間でコンテンツＩＤ（聖火）のやり取りが行われた場所を示している。
【００６０】
続いて，管理制御部３０は，管理データベース３２において位置情報に関連付けて記憶されているコンテンツＩＤに基づいて，同じコンテンツＩＤに関連付けられている位置情報によって特定される位置に配置されたプロット同士を，互いに線で結び付ける。このとき，管理制御部３０は，管理データベース３２に記録されている位置情報と共に，送信側のユーザＩＤと受信側のユーザＩＤを参照して，コンテンツＩＤの授受が行われた順序に従って，プロット同士を線で結び付けることが好ましい。例えば，図３〜図５に示された例において，場所Ｐ１においては，ユーザＡ００１からユーザＡ７９１に対して，第１のコンテンツＩＤ（Ｃ００１）が送信されている。その後，第１のコンテンツＩＤ（Ｃ００１）を受信したユーザＡ７９１は，場所Ｐ３において，ユーザＡ０６５に対し，この第１のコンテンツＩＤ（Ｃ００１）を送信している。このように，これらの位置情報と，送信側のユーザＩＤと，受信側のユーザＩＤとを参照すれば，少なくとも，ユーザＡ７９１が，場所Ｐ１から場所Ｐ３に移動したことが判る。そこで，管理制御部３０は，図５に示されるように，地図画像上において，場所Ｐ１に配置したプロットと場所Ｐ３に配置したプロットとを線で結び付ける。これにより，ユーザＡ７９１の移動の状況を，地図画像上に可視的に示すことができる。例えば，ユーザＡ７９１は，ユーザＡ００１から聖火を受け継いだ聖火ランナーである。すなわち，聖火ランナーであるユーザＡ７９１は，場所Ｐ１においてユーザ００１から聖火を受け継ぎ，場所Ｐ３においてユーザＡ０６５に聖火を受渡している。このため，場所Ｐ１と場所Ｐ３を線で結ぶことで，聖火ランナーであるユーザＡ７９１の走行距離を可視化できる。同様の手順で，管理制御部３０は，管理データベース３２に記録されている情報を利用して，地図画像上にプロットと線を描画し，ユーザが視覚的にコンテンツＩＤ（聖火）の伝播状況を把握しやすい地図情報を生成することが好ましい。なお，ここにう「線」には，直線だけでなく，矢印や曲線が含まれる。
【００６１】
また，図５に示されるように，地図画像上に配置されたプロットには，それぞれ，そのプロットが示す場所においてコンテンツＩＤの送受信を行ったユーザＩＤ（送信側・受信側）と，コンテンツＩＤの送受信を行った日時情報が紐付けられている。このため，プロットを選択すれば，これらのユーザＩＤや日時情報がポップアップするようになっている。
【００６２】
管理サーバ３は，上記のようにして生成した地図情報を，ユーザに提供することができる。例えば，図２のブロック図に示されるように，送信側端末１は，送信側の送受信部１４を介して，管理サーバ３に対し，管理データベース３２の照会を依頼する情報を送信する。この依頼を受け取った管理サーバ３は，上記のようにして生成した地図情報を送信側端末１に提供する。送信側端末１は地図情報を受信し，送信側の表示部１５に地図情報を表示する。これにより，送信側端末１のユーザは，コンテンツＩＤ（聖火）の伝播状況が示された地図情報を確認することができる。従って，ユーザは，自分が参加した聖火リレーの状況を分かりやすく把握することができるようになる。
【００６３】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【００６４】
例えば，上記の実施形態では，受信側端末１が管理サーバに向けて，コンテンツＩＤ，第１のユーザＩＤ，及び第２のユーザＩＤを送信する形態について説明した。ただし，この変形例として，送信側端末１が，管理サーバ３に向けて，コンテンツＩＤ，第１のユーザＩＤ，及び第２のユーザＩＤを送信することとしてもよい。すなわち，送信側端末１は，受信側端末２に対し，送信側の近距離通信部１２を介して，少なくともコンテンツＩＤを受信側端末２に向けて発信する。受信側端末２は，受信側の近距離通信部２２を介して，送信側端末１からコンテンツＩＤを受信すると共に，受信側のユーザＩＤ（第２のユーザＩＤ）を送信側端末１に向けて発信する。送信側端末１は，送信側の近距離通信部１２によって受信側のユーザＩＤを受信し，送信側の近距離通信部１２によって受信した受信側のユーザＩＤと共に，送信側の送受信部１４を介して，送信側のユーザＩＤ（第１のユーザＩＤ）及びコンテンツＩＤを管理サーバ３に向けて送信する。管理サーバ３は，送信側端末１から，コンテンツＩＤ，第１のユーザＩＤ，及び第２のユーザＩＤを受信するとともに，これらのコンテンツＩＤ，第１のユーザＩＤ，及び第２のユーザＩＤを，互いに関連付けて管理データベース３２に記憶する。本発明では，このように情報処理を行うこともできる。
【００６５】
また，例えば，上記の実施形態では説明を省略したが，管理サーバ３は，ユーザの個人情報を管理するためのプロフィールデータベースを備えていてもよい。このプロフィールデータベースには，ユーザＩＤに関連付けて，そのユーザの氏名や，年齢，性別，職業等の個人情報が記憶されている。管理サーバ３は，このプロフィールデータベースを参照して，コンテンツＩＤ（聖火）の伝播状況を示す地図情報に，各ユーザの個人情報を含めることも可能である。
【産業上の利用可能性】
【００６６】
本発明は，例えばデジタル聖火リレーを実現するためのシステムに関する。このため，本発明は，エンターテイメント産業において好適に利用し得る。
【符号の説明】
【００６７】
１…送信側端末                    ２…受信側端末
３…管理サーバ                    １０…送信側の制御部
１１…送信側の記憶部              １２…送信側の近距離通信部
１３…送信側の位置情報取得部      １４…送信側の送受信部
１５…送信側の表示部              ２０…受信側の制御部
２１…受信側の記憶部              ２２…受信側の近距離通信部
２３…受信側の位置情報取得部      ２４…受信側の送受信部
２５…受信側の表示部              ３０…管理制御部
３１…サーバの送受信部            ３２…管理データベース
【図１】
2015106230.tif 000003
【図２】
2015106230.tif 000004
【図３】
2015106230.tif 000005
【図４】
2015106230.tif 000006
【図５】
2015106230.tif 000007